(57)【要約】  カートン内部容積を部分的に形成するガセット付き隅部を有するブランクから、カートンが形成される。カートンの内部容積は、カートンを広げた構成にすることによって変えることができる。カートンは、液密であり得る底部受け部分を含むことができる。
2011516360.tif 000002
【特許請求の範囲】
【請求項１】
カートンであって、該カートンは、
底部パネルと、
前記底部パネルに折り曲げ可能に連結される第１の側部パネルと、
前記底部パネルに折り曲げ可能に連結される第２の側部パネルと、
前記第１の側部パネル及び前記第２の側部パネルに折り曲げ可能に連結される上壁であって、上壁断裂可能破断線が該上壁を少なくとも部分的に横切って延びる、上壁と、
少なくとも１つの端部壁と、
を備え、
前記少なくとも１つの端部壁は、
前記底部パネルに折り曲げ可能に連結される底端部パネルと、
前記底端部パネル並びに前記第１の側部パネル及び前記第２の側部パネルの一方に折り曲げ可能に連結される少なくとも１つの下方ガセットと、
前記少なくとも１つの下方ガセット及び前記上壁に折り曲げ可能に連結される少なくとも１つの上方ガセットと、
を備える、カートン。
【請求項２】
前記少なくとも１つの下方ガセットは、前記底端部パネル及び前記第１の側部パネルに折り曲げ可能に連結される第１の下方ガセットと、前記底端部パネル及び前記第２の側部パネルに折り曲げ可能に連結される第２の下方ガセットとを含み、前記少なくとも１つの上方ガセットは、前記第１の下方ガセット及び前記上壁に折り曲げ可能に連結される第１の上方ガセットと、前記第２の下方ガセット及び前記上壁に折り曲げ可能に連結される第２の上方ガセットとを含む、請求項１に記載のカートン。
【請求項３】
前記上壁断裂可能破断線は、各端部において概ね直線状の部分で終わる湾曲部分を含む、請求項２に記載のカートン。
【請求項４】
前記上壁断裂可能破断線は、概ね直線状の引き裂き線を含む、請求項２に記載のカートン。
【請求項５】
前記第１の下方ガセット及び前記第２の下方ガセットのそれぞれは、第１の斜め折り線で第２のガセットパネルに折り曲げ可能に連結される第１のガセットパネルを含み、該第１のガセットパネルは、横方向折り線で前記底端部パネルに折り曲げ可能に連結され、前記第２のガセットパネルは、長手方向折り線で前記第１の側部パネル及び前記第２の側部パネルの一方に連結される、請求項２に記載のカートン。
【請求項６】
前記第１のガセットパネルは、前記底端部パネルの横方向の幅に実質的に等しい該横方向の幅を有し、前記第２のガセットパネルは、前記第１の側部パネル及び前記第２の側部パネルの一方の長手方向の長さに実質的に等しい該長手方向の長さを有する、請求項５に記載のカートン。
【請求項７】
前記第１の上方ガセット及び前記第２の上方ガセットのそれぞれは、第２の斜め折り線で第４のガセットパネルに折り曲げ可能に連結される第３のガセットパネルを含み、該第３のガセットパネルは、横方向折り線で前記第２のガセットパネルに折り曲げ可能に連結され、前記第４のガセットパネルは、前記長手方向折り線で前記上壁に折り曲げ可能に連結される、請求項５に記載のカートン。
【請求項８】
前記第３のガセットパネルは、前記第２のガセットパネルの前記横方向の幅に実質的に等しい該横方向の幅を有する、請求項７に記載のカートン。
【請求項９】
前記少なくとも１つの端部壁は、前記底端部パネルに折り曲げ可能に連結される閉鎖フラップと、該閉鎖フラップにある少なくとも１つの断裂可能破断線とをさらに含む、請求項２に記載のカートン。
【請求項１０】
前記少なくとも１つの断裂可能破断線は、前記閉鎖フラップの接着フラップ部分を形成する第１の斜め引き裂き線及び第２の斜め引き裂き線を含み、前記接着フラップ部分は、前記上壁に接着され、前記第１の上方ガセット及び前記第２の上方ガセットの少なくとも一部が、前記閉鎖フラップに接着される、請求項９に記載のカートン。
【請求項１１】
前記上壁は、前記第１の側部パネルに折り曲げ可能に連結される第１の上部パネルと、前記第２の側部パネルに折り曲げ可能に連結される第２の上部パネルとを含み、前記上壁断裂可能破断線は、前記第２の上部パネルを横切って延びる、請求項２に記載のカートン。
【請求項１２】
前記カートンは、前記第２の上部パネルに折り曲げ可能に連結される第１の上端部フラップと、前記第２の上部パネルに折り曲げ可能に連結される第２の上端部フラップとをさらに備え、引き裂きストリップが、前記第１の上端部フラップ及び前記第２の上端部フラップのそれぞれを少なくとも部分的に横切って延びる、請求項１１に記載のカートン。
【請求項１３】
前記上壁断裂可能破断線は、前記第２の上部パネルからそれぞれの前記引き裂きストリップまで前記第１の上端部フラップ及び前記第２の上端部フラップのそれぞれを部分的に横切って延びる、請求項１２に記載のカートン。
【請求項１４】
前記第１の上端部フラップは、第１の長手方向折り線で前記第２の上部パネルに折り曲げ可能に連結され、前記第２の上端部フラップは、第２の長手方向折り線で前記第２の上部パネルに折り曲げ可能に連結され、前記引き裂きストリップのそれぞれは、前記第１の長手方向折り線及び前記第２の長手方向折り線と概ね平行に延びる、請求項１２に記載のカートン。
【請求項１５】
底部パネルと、
前記底部パネルに折り曲げ可能に連結される第１の側部パネルと、
前記第１の側部パネルに折り曲げ可能に連結されると共に、断裂可能破断線が横切って延びる、少なくとも１つの上部パネルと、
前記底部パネルに折り曲げ可能に連結される第２の側部パネルと、
前記底部パネルに折り曲げ可能に連結される少なくとも１つの底端部パネルと、
前記少なくとも１つの底端部パネル並びに前記第１の側部パネル及び前記第２の側部パネルの一方に折り曲げ可能に連結される少なくとも１つの下方ガセットと、
前記少なくとも１つの下方ガセット及び前記少なくとも１つの上部パネルに折り曲げ可能に連結される少なくとも１つの上方ガセットと、
を備える、カートンを形成するためのブランク。
【請求項１６】
前記少なくとも１つの下方ガセットは、前記底端部パネル及び前記第１の側部パネルに折り曲げ可能に連結される第１の下方ガセットと、前記底端部パネル及び前記第２の側部パネルに折り曲げ可能に連結される第２の下方ガセットとを含み、
前記少なくとも１つの上部パネルは、前記第１の側部パネルに折り曲げ可能に連結される第１の上部パネルと、前記第２の側部パネルに折り曲げ可能に連結される第２の上部パネルとを含み、
前記少なくとも１つの上方ガセットは、前記第１の下方ガセット及び前記第１の上部パネルに折り曲げ可能に連結される第１の上方ガセットと、前記第２の下方ガセット及び前記第２の上部パネルに折り曲げ可能に連結される第２の上方ガセットとを含む、請求項１５に記載のブランク。
【請求項１７】
前記第１の下方ガセット及び前記第２の下方ガセットのそれぞれは、第１の斜め折り線で第２のガセットパネルに折り曲げ可能に連結される第１のガセットパネルを含み、該第１のガセットパネルは、横方向折り線で前記底端部パネルに折り曲げ可能に連結され、前記第２のガセットパネルは、長手方向折り線で前記第１の側部パネル及び前記第２の側部パネルの一方に連結される、請求項１６に記載のブランク。
【請求項１８】
前記第１のガセットパネルは、前記底端部パネルの横方向の幅に実質的に等しい該横方向の幅を有し、前記第２のガセットパネルは、前記第１の側部パネル及び前記第２の側部パネルの一方の長手方向の長さに実質的に等しい該長手方向の長さを有する、請求項１７に記載のブランク。
【請求項１９】
前記第１の上方ガセット及び前記第２の上方ガセットのそれぞれは、第２の斜め折り線で第４のガセットパネルに折り曲げ可能に連結される第３のガセットパネルを含み、該第３のガセットパネルは、横方向折り線で前記第２のガセットパネルに折り曲げ可能に連結され、前記第４のガセットパネルは、前記長手方向折り線で前記第１の上部パネル及び前記第２の上部パネルの一方に折り曲げ可能に連結される、請求項１７に記載のブランク。
【請求項２０】
前記第３のガセットパネルは、前記第２のガセットパネルの前記横方向の幅に実質的に等しい該横方向の幅を有する、請求項１９に記載のブランク。
【請求項２１】
前記底端部パネルに折り曲げ可能に連結される閉鎖フラップをさらに備え、該閉鎖フラップにある少なくとも１つの断裂可能破断線を備える、請求項１６に記載のブランク。
【請求項２２】
前記少なくとも１つの断裂可能破断線は、前記閉鎖フラップの接着フラップ部分を形成する第１の斜め引き裂き線及び第２の斜め引き裂き線を含み、前記接着フラップ部分は、上壁に接着され、前記第１の上方ガセット及び前記第２の上方ガセットの少なくとも一部が、前記閉鎖フラップに接着される、請求項２１記載のブランク。
【請求項２３】
前記断裂可能破断線は、前記第２の上部パネルを横切って延びる、請求項１６に記載のブランク。
【請求項２４】
前記ブランクは、前記第２の上部パネルに折り曲げ可能に連結される第１の上端部フラップと、前記第２の上部パネルに折り曲げ可能に連結される第２の上端部フラップとをさらに備え、引き裂きストリップが、前記第１の上端部フラップ及び前記第２の上端部フラップのそれぞれを少なくとも部分的に横切って延びる、請求項２３に記載のブランク。
【請求項２５】
前記断裂可能破断線は、前記第２の上部パネルから前記第１の上端部フラップ及び前記第２の上端部フラップのそれぞれの前記引き裂きストリップそれぞれまで前記第１の上端部フラップ及び前記第２の上端部フラップのそれぞれを部分的に横切って延びる、請求項２４に記載のブランク。
【請求項２６】
複数の容器を保持するカートンを形成する方法であって、該方法は、
ブランクを設けるステップ
を備え、
前記ブランクは、
底部パネルと、該底部パネルに折り曲げ可能に連結される第１の側部パネルと、該第１の側部パネルに折り曲げ可能に連結されると共に、断裂可能破断線が横切って延びる、少なくとも１つの上部パネルと、前記底部パネルに折り曲げ可能に連結される第２の側部パネルと、前記底部パネルに折り曲げ可能に連結される少なくとも１つの底端部パネルと、前記少なくとも１つの底端部パネル並びに前記第１の側部パネル及び前記第２の側部パネルの一方に折り曲げ可能に連結される少なくとも１つの下方ガセットと、該少なくとも１つの下方ガセット及び前記少なくとも１つの上部パネルに折り曲げ可能に連結される少なくとも１つの上方ガセットと、
を備え、
前記方法は、
前記底部パネル及び前記少なくとも１つの上部パネルに対して前記第１の側部パネル及び前記第２の側部パネルを折り曲げ、スリーブを形成するステップと、
前記少なくとも１つの下方ガセットが折り曲げられて液密底部受け部を形成するように、前記少なくとも１つの下方ガセットが折り曲げられるように、前記底端部パネルを折り曲げるステップと、
を備える、複数の容器を保持するカートンを形成する方法。
【請求項２７】
前記少なくとも１つの下方ガセットは、前記底端部パネル及び前記第１の側部パネルに折り曲げ可能に連結される第１の下方ガセットと、前記底端部パネル及び前記第２の側部パネルに折り曲げ可能に連結される第２の下方ガセットとを含み、
前記少なくとも１つの上部パネルは、第１の上部パネル及び第２の上部パネルを含み、
前記少なくとも１つの上方ガセットは、前記第１の下方ガセット及び前記第１の上部パネルに折り曲げ可能に連結される第１の上方ガセットと、前記第２の下方ガセット及び前記第２の上部パネルに折り曲げ可能に連結される第２の上方ガセットとを含み、
前記第１の下方ガセット及び前記第２の下方ガセットのそれぞれは、第１の斜め折り線で第２のガセットパネルに折り曲げ可能に連結される第１のガセットパネルを含み、該第１のガセットパネルは、横方向折り線で前記底端部パネルに折り曲げ可能に連結され、前記第２のガセットパネルは、長手方向折り線で前記第１の側部パネル及び前記第２の側部パネルの一方に連結され、
前記底端部パネルを上向きに折り曲げるステップは、前記第１のガセットパネルを前記第２のガセットパネルと対面接触させるように折り曲げるステップを含む、請求項２６に記載の方法。
【請求項２８】
前記第１の上方ガセット及び前記第２の上方ガセットのそれぞれは、第２の斜め折り線で第４のガセットパネルに折り曲げ可能に連結される第３のガセットパネルを含み、該第３のガセットパネルは、横方向折り線で前記第２のガセットパネルに折り曲げ可能に連結され、前記第４のガセットパネルは、前記長手方向折り線で前記第１の上部パネル及び前記第２の上部パネルの一方に折り曲げ可能に連結され、
少なくとも１つの端部壁は、前記底端部パネルに折り曲げ可能に連結される閉鎖フラップと、該閉鎖フラップにある少なくとも１つの断裂可能破断線とをさらに含み、
前記底端部パネルを折り曲げるステップは、前記第４のガセットパネルに対して前記第３のガセットパネルを折り曲げるステップを含む、請求項２７に記載の方法。
【請求項２９】
前記方法は、前記底端部パネルに対して前記閉鎖フラップを折り曲げるステップ、及び前記少なくとも１つの上部パネルに前記閉鎖フラップを固定するステップをさらに含み、前記閉鎖フラップを折り曲げるステップは、前記第３のガセットパネルを前記第４のガセットパネルと対面接触させるように折り曲げるステップを含む、請求項２８に記載の方法。
【請求項３０】
前記少なくとも１つの断裂可能破断線は、前記閉鎖フラップの接着フラップ部分を形成する第１の斜め引き裂き線及び第２の斜め引き裂き線を含み、前記閉鎖フラップを固定するステップは、前記フラップ部分を前記少なくとも１つの上部パネルに接着連結するステップを含む、請求項２９に記載の方法。
【請求項３１】
前記少なくとも１つの上部パネルは、前記第１の側部パネルに折り曲げ可能に連結される第１の上部パネルと、前記第２の側部パネルに折り曲げ可能に連結される第２の上部パネルとを含み、前記断裂可能破断線は、前記第２の上部パネルを横切って延び、前記方法は、前記断裂可能破断線で前記第２の上部パネルを引き裂いて前記少なくとも１つの上方ガセットを広げることによって前記カートンを開くステップをさらに含む、請求項２６に記載の方法。
【請求項３２】
前記ブランクは、前記第２の上部パネルに折り曲げ可能に連結される第１の上端部フラップと、前記第２の上部パネルに折り曲げ可能に連結される第２の上端部フラップと、前記第１の上端部フラップ及び前記第２の上端部フラップのそれぞれを少なくとも部分的に横切って延びる引き裂きストリップとをさらに備え、前記方法は、前記断裂可能破断線を引き裂く前に前記引き裂きストリップを引き裂くことによって前記カートンを開くステップをさらに含む、請求項３１に記載の方法。
【発明の詳細な説明】
【技術分野】
【０００１】
本開示は、包括的には、容器の取り扱い及び運搬用のカートンに関し、より詳細には、液密又は耐漏れ性機能部を有するカートンに関する。
【０００２】
［関連出願の相互参照］
本願は、２００８年４月１４日付けで出願された仮出願第６１／０４４，５８３号及び２００８年４月２８日付けで出願された仮出願第６１／０４８，３４８号の利益を主張し、上記出願の全内容が参照により本明細書に援用される。
【発明の概要】
【０００３】
一態様では、本開示は、包括的には、第１の側部パネル、底部パネル、第２の側部パネル、第１の端部パネル、第２の端部パネル、及び複数のガセットを備えるカートンを対象とする。底部パネルの各隅部に１つのガセットが位置付けられ、カートンの隅部を封止又は閉鎖するように隣接する側部パネルと端部パネルとの間に配置されてそれらに折り曲げ可能に連結される。
【０００４】
別の態様では、本開示は、包括的には、カートンであって、底部パネル、底部パネルに折り曲げ可能に連結される第１の側部パネル、底部パネルに折り曲げ可能に連結される第２の側部パネル、第１の側部パネル及び第２の側部パネルに折り曲げ可能に連結される上壁であって、上壁断裂可能破断線が該上壁を少なくとも部分的に横切って延びる、上壁、及び少なくとも１つの端部壁を備えるカートンを対象とする。少なくとも１つの端部壁は、底部パネルに折り曲げ可能に連結される底端部パネル、底端部パネル並びに第１の側部パネル及び第２の側部パネルの一方に折り曲げ可能に連結される少なくとも１つの下方ガセット、及び少なくとも１つの下方ガセット及び上壁に折り曲げ可能に連結される少なくとも１つの上方ガセットを含む。
【０００５】
別の態様では、本開示は、包括的には、カートンを形成するためのブランクを対象とする。ブランクは、底部パネル、底部パネルに折り曲げ可能に連結される第１の側部パネル、第１の側部パネルに折り曲げ可能に連結されると共に、断裂可能破断線が横切って延びる、少なくとも１つの上部パネル、及び底部パネルに折り曲げ可能に連結される第２の側部パネルを含む。ブランクは、底部パネルに折り曲げ可能に連結される少なくとも１つの底端部パネル、少なくとも１つの底端部パネル並びに第１の側部パネル及び第２の側部パネルの一方に折り曲げ可能に連結される少なくとも１つの下方ガセット、及び少なくとも１つの下方ガセット及び少なくとも１つの上部パネルに折り曲げ可能に連結される少なくとも１つの上方ガセットをさらに備える。
【０００６】
別の態様では、本開示は、包括的には、複数の容器を保持するカートンを形成する方法を対象とする。この方法は、底部パネルと、底部パネルに折り曲げ可能に連結される第１の側部パネルと、第１の側部パネルに折り曲げ可能に連結されると共に、断裂可能破断線が横切って延びる、少なくとも１つの上部パネルと、底部パネルに折り曲げ可能に連結される第２の側部パネルと、底部パネルに折り曲げ可能に連結される少なくとも１つの底端部パネルと、少なくとも１つの底端部パネル並びに第１の側部パネル及び第２の側部パネルの一方に折り曲げ可能に連結される少なくとも１つの下方ガセットと、少なくとも１つの下方ガセット及び少なくとも１つの上部パネルに折り曲げ可能に連結される少なくとも１つの上方ガセットと、を備えるブランクを設けるステップを含む。この方法は、底部パネル及び少なくとも１つの上部パネルに対して第１の側部パネル及び第２の側部パネルを折り曲げ、スリーブを形成するステップをさらに含む。この方法は、少なくとも１つの下方ガセットが液密底部受け部を形成するように折り曲げられて、少なくとも１つの下方ガセットが折り曲げられるように、底端部パネルを折り曲げるステップをさらに含む。
【０００７】
本開示の一態様によれば、カートンの一端部又は両端部を開いて、カートン内部に収容される物品へのアクセスを提供することができる。
【０００８】
本開示の別の態様によれば、上部パネルを開くことができ、開いた上端部を通して、氷、冷水、追加の容器、及び／又は他の物品をカートンに入れることができる。カートンの内部容積を用いて、溶けた氷、復水、他の液体、及び例えば廃物、粒子状物質等の物品等から得られる水等の液体を保持することができる。
【０００９】
本開示の別の態様によれば、カートンの底部受け部が、カートンの底部パネルより上方に延びてそれより下方には糊又は他の接着剤によって封止された継ぎ目がない高さを有するように構成され得る。したがって、底部受け部は液密であり得る。
【００１０】
本開示の他の態様、特徴及び詳細は、図面と組み合わせた以下の詳細な説明の参照及び添付の特許請求の範囲からより完全に理解することができる。
【００１１】
一般的慣行によれば、後述する図面の種々の特徴は、必ずしも一定の縮尺で描かれていない。図面における種々の特徴及び要素の寸法は、本開示の実施形態をより明確に示すために拡大又は縮小されている場合がある。
【図面の簡単な説明】
【００１２】
【図１】本開示の第１の実施形態によるカートンの形成に用いられるブランクの平面図である。
【図２】カートンの端部を開くステップの１つを示す第１の実施形態による組み立てられたカートンの斜視図である。
【図３】カートンの端部を開くステップの１つを示す第１の実施形態による組み立てられたカートンの斜視図である。
【図４】カートンの端部を開くステップの１つを示す第１の実施形態による組み立てられたカートンの斜視図である。
【図５】カートンの端部を開くステップの１つを示す第１の実施形態による組み立てられたカートンの斜視図である。
【図６】カートンの上部を開くステップの１つを示す図２の組み立てられたカートンの斜視図である。
【図７】カートンの上部を開くステップの１つを示す図２の組み立てられたカートンの斜視図である。
【図８】カートンの上部を開くステップの１つを示す図２の組み立てられたカートンの斜視図である。
【図９】本開示の第２の実施形態によるカートンの形成に用いられるブランクの平面図である。
【図１０】本開示の第３の実施形態によるカートンの形成に用いられるブランクの平面図である。
【図１１】図１０のブランクを組み立ててカートンにするステップの１つを示す斜視図である。
【図１２】図１０のブランクを組み立ててカートンにするステップの１つを示す斜視図である。
【図１３】図１０のブランクを組み立ててカートンにするステップの１つを示す斜視図である。
【図１４】図１０のブランクを組み立ててカートンにするステップの１つを示す斜視図である。
【図１５】カートンの上部を開くステップの１つを示す図１４のカートンの斜視図である。
【図１６】カートンの上部を開くステップの１つを示す図１４のカートンの斜視図である。
【図１７】カートンの上部を開くステップの１つを示す図１４のカートンの斜視図である。
【図１８】カートンの上部を開くステップの１つを示す図１４のカートンの斜視図である。
【発明を実施するための形態】
【００１３】
対応する部分は、図面を通して対応する参照符号によって示されている。
【００１４】
本開示の実施形態は、包括的には、例えば飲料容器等の物品の保管及び小出しに適するカートンに関する。カートンは、例えば液体、氷又は他の冷却材をカートン底部内に収容するのに適した底部受け部を提供する。１つの例示的な実施形態では、カートン内に保持された飲料容器を冷却するために、カートンの開いた上部に氷を追加することができる。氷が溶けると、それによって生じる流出水の全部又は一部が、底部受け部内に保持され得る。
【００１５】
本カートンの実施形態内に収容される物品は、例えばペタロイド型ボトル飲料容器、金属飲料缶、ガラス又はプラスチックボトル等の容器、又は例えば食品及び他の製品の包装に使用されるもの等の他の容器を含むことができる。説明のためであって、本開示の範囲を制限するためではないが、以下の詳細な説明は、カートン内に配置された円筒形の金属飲料容器を包括的に記載する。本明細書において、「側部」、「端部」、「底部」及び「上部」という用語は、完全に組み立てられた直立カートンに関して決定される向きを表す。
【００１６】
図１は、本開示の第１の実施形態によるカートン１５０（図２に示す）の形成に用いられるブランク５の平面図である。ブランク５の外面すなわち印刷面３が、図１に示されている。ブランク５は、ブランクの長さに沿って延びる長手方向軸Ｌ１と、ブランクの幅に沿って延びる横方向軸Ｌ２とを有する。ブランク５は、横方向中心線ＣＴ及び長手方向中心線ＣＬに関して対称的又はほぼ対称的であり得る。したがって、ブランク５の部分的又は完全な対称性を反映するために、図面中の特定の要素は、同一又は同様の参照符号で示され得る。
【００１７】
ブランク５は、底部パネル１０と、長手方向折り線２１で底部パネル１０の各側にそれぞれ折り曲げ可能に連結される第１及び第２の側部パネル２０と、長手方向折り線３１で第１の側部パネル２０に折り曲げ可能に連結される第１の上部パネル３０と、長手方向折り線４１で第２の側部パネル２０に折り曲げ可能に連結される第２の上部パネル４０とを備える。接着剤３６が、第１の上部パネル３０の印刷面すなわち外面３に塗布され得る。底端部パネル６０が、横方向折り線６１で底部パネル１０の各端部に折り曲げ可能に連結される。閉鎖フラップ７０が、横方向折り線７１で各底端部パネル６０の遠位端部に折り曲げ可能に連結される。接着剤７２が、各閉鎖フラップ７０の裏側すなわち内面に塗布され得る。閉鎖フラップ７０の隅部フラップ部分７４が、断裂可能破断線７６によって各閉鎖フラップ７０の遠位隅部に画定される。接着剤７８が、各隅部フラップ部分７４の裏側に塗布され得る。本明細書では、「端部」及び「側部」という用語は、参照しやすいように用いられており、例えば側部パネル２０及び端部パネル６０の相対的なサイズを意味するものではない。
【００１８】
第２の上部パネル４０は、各端部から端部分５４が概ね長手方向Ｌ１に延びている湾曲した中央部分５２を有する断裂可能破断線５０を含み得る。一実施形態では、断裂可能破断線５０は、第２の上部パネル４０の実質的に全長にわたって延び、第２の上部パネルを第１の部分４２及び第２の部分４４に分割する。第２の上部パネル４０には、断裂可能破断線５０に又はそれに隣接してアクセス機能部５６が形成され得る。アクセス機能部５６は、例えば、断裂可能な周囲によって、又は第２の上部パネル４０の孔によって画定され得る。
【００１９】
下方ガセット８０が、底部パネル１０の各隅部に位置付けられ、隣接する側部パネル２０と底端部パネル６０との間に延びてこれらに連結される。各下方ガセット８０は、長手方向折り線２１で底端部パネル６０に折り曲げ可能に連結される第１のガセットパネル８２と、横方向折り線６１で側部パネル２０に、かつ斜め折り線８６で第１のガセットパネル８２に折り曲げ可能に連結される第２のガセットパネル８４とを含む。
【００２０】
一実施形態では、上方ガセット８８が、下方ガセット８０のそれぞれ１つに隣接している。図１の実施形態では、上方ガセット８８はそれぞれ、第３のガセットパネル９０及び第４のガセットパネル９２を含む。各第３のガセットパネル９０は、長手方向折り線３１、４１の一方で第２のガセットパネル８４に折り曲げ可能に連結される。第４のガセットパネル９２のそれぞれは、それぞれの横方向折り線６１で上部パネル３０、４０の一方に、かつ斜め折り線９４で第３のガセットパネル９０にそれぞれ折り曲げ可能に連結される。
【００２１】
例示的な図示の実施形態では、折り線２１、８６はクリース線であり、折り線３１、４１、７１、９４は切れ目入りクリース線である。折り線６１は、パネル１０、２０のクリース線であり、パネル３０、４０において切れ目入りクリース線で終わる。一実施形態では、断裂可能破断線５０、７６は引き裂き線である。本明細書で図示及び説明されるクリース線、折り線、引き裂き線、又は他の線は、本開示の範囲から逸脱することなく、他の破断線に変更されてもよい。
【００２２】
図１及び図２を参照して、ブランク５からカートン１５０を組み立てる例示的な方法を後述する。カートン１５０は、本開示から逸脱することなく、他の方法又は折り曲げステップで組み立てられてもよい。
【００２３】
図１及び図２を参照すると、ブランク５は、長手方向折り線２１（図１の右側の折り線２１）及び折り線３１に関して折り畳まれ、第２の上部パネル４０の内面が、接着剤３６によって第１の上部パネル３０の印刷面すなわち外面に接着される。次に、部分的に組み立てられたブランクは、開口端部を有する概ね筒状の形態又はスリーブになるように開かれ得る。カートン１５０には、カートンの一端部又は両端部を閉じる前に、例えば概ね円筒形の飲料容器Ｃ（図５に示す）等の物品が収納され得る。筒状の開口端状カートン形態から、第１のガセットパネル８２及び第２のガセットパネル８４が、斜め折り線８６に関して互いに対して内向きに折り曲げられ、第３のガセットパネル９０及び第４のガセットパネル９２が、斜め折り線９４に関して互いに対して折り曲げられる。各底端部パネル６０及びそれに取り付けられている閉鎖フラップ７０は、概ね直立するまでそれぞれの長手方向折り線６１に関して上向きに折り曲げられる。次に、各閉鎖フラップ７０の内面が、接着剤７２によって第３のガセットパネル９０のそれぞれの隣接する外面に接着される（パネル７０と９０との間の関係は、図４に部分的に組み立てられていない構成で全体的に示されている）。次に、第３のガセットパネル９０が接着された閉鎖フラップ７０は、第２の上部パネル４０の上部に当接するように折り線７１に関して折り曲げられる。閉鎖フラップ７０の隅部にある隅部フラップ部分７４の内面は、接着剤７８によって第２の上部パネル４０に接着される。閉鎖フラップ７０が折り重ねられるとき、第３のガセットパネル９０及び第４のガセットパネル９２の内面が互いに概ね対面接触してそれぞれの閉鎖フラップ７０の下で第２の上部パネル４０の上に重なるように、第３のガセットパネル９０及び第４のガセットパネル９２が折り重ねられる。図６に示すように、第３のガセットパネル９０は、第３のガセットパネルの内面の一部が第２の上部パネル４０と対面接触するように、第４のガセットパネル９２に概ね重なって第４のガセットパネル９２から延出する。第４のガセットパネル９２の外面は、第２の上部パネル４０と対面接触する。
【００２４】
図２は、ブランク５から組み立てられたカートン１５０を示している。図示の実施形態では、カートン１５０に、６×３×１構成で配置された１８本の概ね円筒形の１２オンス飲料容器Ｃが収納される。本開示の範囲内で、代替的な構成を有する実施形態が考えられる。カートン１５０は、第１の上部パネル３０及び第２の上部パネル４０がカートン１５０の上端部を閉じる上壁１５４を形成している、概ね平行六面体の形状を有する。カートン１５０の各端部で、閉鎖フラップ７０、閉鎖フラップ７０の裏側に接着される第３のガセットパネル９０、及び第３のガセットパネル９０に連結される第４のガセットパネル９２が、上端部閉鎖部１５８を形成する。底端部パネル６０のそれぞれが、それぞれの隣接する下方ガセット８０及びそれぞれの隣接する上端部閉鎖部１５８と協働して、端部壁１５９を形成する。
【００２５】
図３乃至図８を参照して、カートン１５０を開いて第１の小出し構成にする例示的な方法を後述する。
【００２６】
図３を参照すると、カートン１５０の一端部を開き始めるために、上端部閉鎖部１５８を掴んで斜め引き裂き線７６で閉鎖フラップ７０を引き裂くことによって、上端部閉鎖部１５８が上向きに枢動させられる。閉鎖フラップ７０の隅部の隅部フラップ部分７４は、接着剤７８によって第２の上部パネル４０に接着されたままである。閉鎖フラップ７０の残りの部分及び上方ガセット８８を含む上端部閉鎖部１５８の残りの部分は、第２の上部パネル４０から分離する。
【００２７】
図４を参照すると、閉鎖フラップ７０が、第３のガセットパネル９０から分離される。閉鎖フラップ７０は、パネル同士をつなぎ合わせている接着剤に逆らってパネルを引き裂くことによって、第３のガセットパネル９０から分離され得る。代替的に、特定の実施形態では、閉鎖フラップ７０は、パネルの分離を容易にするために１つ又は複数のさらなる断裂可能破断線（不図示）を含んでいてもよい。
【００２８】
図５を参照すると、ガセットパネル８２、８４、９０、９２が外向きに広がるように端部パネル６０を下向きに枢動させることによって、カートン１５０の端部を開くことができる。それから、得られた端部開口を通してカートン１５０内に収容されている容器Ｃにアクセスすることができる。カートン１５０の反対端部も、同様の方法で開くことができる。
【００２９】
図３及び図６乃至図８を参照して、カートン１５０を開いて第２の広げた小出し構成にする例示的な方法を後述する。
【００３０】
カートン１５０を第２の小出し構成にするために、図３に示すように、第１の端部閉鎖部１５８が、閉鎖フラップ７０の引き裂き線７６で断裂されて上向きに枢動させられる。
【００３１】
図６を参照すると、カートン１５０の反対端部の第２の端部閉鎖部１５８が、斜め引き裂き線７６で閉鎖フラップ７０を引き裂いて上向きに枢動させられる。
【００３２】
図７を参照すると、上壁１５４は、第２の上部パネル４０の破断線５０で断裂される。上壁１５４の断裂をアクセス機能部５６で開始して、第１の部分４２及び第２の部分４４が互いから分離されるまで上部パネル４０を破断線５０に沿って引き裂くことができる。次に、第１の部分４２及び第２の部分４４は、互いから離れるように上向きに枢動させることができる。
【００３３】
図８を参照すると、第１の部分４２及び第２の部分４４は、互いから分離され、カートン１５０を広げた第２の小出し構成にするように上向きに枢動させられる。部分４２、４４を上向きに枢動させると、カートン１５０の各隅部の上方ガセット８８が開く。上方ガセット８８と、上部パネル４０の第１の部分４２及び第２の部分４４と、閉鎖フラップ７０とは、側部パネル２０及び端部パネル６０の高さより上方に延びる直立延長部１６０又は「煙突」を形成する。
【００３４】
広げた構成では、カートン１５０の上部の開口１６０から容器Ｃにアクセスすることができる。さらに、例えば、氷、冷水、又は他の冷却材手段を、容器Ｃに接触するようにカートン１５０の内部容積に導入してもよい。カートン１５０の第１の高さＨＣ１が、側部パネル２０の高さと概ね一致するものとして図６に示されている。第２の高さＨＣ２は、カートン１５０が図８の広げた構成にあるときのカートンの内部容積の高さ（すなわち、底端部パネル６０と底端部パネル６０から上向きに延びる閉鎖フラップ７０とを合わせた高さ）を示す。直立延長部１６０は、カートン１５０のうち、水又は他の液体が漏れる可能性がある接着シール又は継ぎ目が最小限である部分を提供する。上方ガセット８８は、開いたカートン１５０のそれぞれの隅部で底端部パネル６０及び側部パネル２０から上向きに延びて、開いたカートンの封止隅部を提供する。封止隅部は、カートン１５０の使用可能な容積を提供するように底端部パネル６０より上方にある実質的に液密又は耐液性の隅部を提供する。
【００３５】
本開示の一態様によれば、カートンの高さを第２の高さＨＣ２まで増加させることによって得られる追加の内部容積を用いて、例えばかなりの容積の氷等の冷却媒体を収容することができる。所望に応じて、開放した後、追加の物品をカートン１５０に入れてもよい。例えば、容器Ｃが飲料容器である場合、容器Ｃの上に氷を載せてカートン内部に保持し、それにより容器を冷却することができる。氷が溶けると、カートン１５０が、溶けた氷から流出した水の全部又は一部を保持する働きをする。
【００３６】
本開示の一実施形態によれば、カートン１５０の内部容積の高さは、高さＨＣ１を有する図６に示す閉じた構成から高さＨＣ２を有する図８に示す開放し広げた構成に変わるときに少なくとも１０％増加する。本開示の別の実施形態によれば、第２の高さＨＣ２は、第１の高さＨＣ１より少なくとも２５％高い。高さＨＣ１と高さＨＣ２との比が異なる代替的な構成が、本開示の範囲内で考えられる。
【００３７】
図１、図６、及び図８を参照すると、下方ガセット８０は、組み立てられたカートン１５０内に少なくとも部分的に液密の底部受け部１７０を部分的に画定し得る。底部受け部１７０の上縁部又は上方境界線の高さＨＲが、図６に示されており、カートン１５０の底部のうち、それより下方には水又は他の液体が漏れる可能性がある接着シール又は継ぎ目がまったく形成されていない部分を表している。すなわち、流体がカートン１５０から逃げる可能性がある材料の接着シール又は他の接合部が、カートンの、底部受け部１７０の上縁部より下方の位置に設けられていない。したがって、底部受け部１７０は、ブランク５の折り曲げられた材料の連続部分から形成され得る。高さＨＲは、例えば、下方ガセット８０の斜め折り線８６の頂点１８０（図１）の高さに相当し得る。高さＨＲは、例えば、カートン１５０の高さの関数として定義され得る。例えば、底部受け部１７０は、カートン１５０の高さＨＣ１の少なくとも約２０％である高さＨＲを有する液密部分を画定し得る。別の実施形態では、受け部１７０の高さＨＲは、カートン１５０の高さＨＣ１の少なくとも約４０％であり得る。例えば、より多くの又はより少ない予想液体容積をカートン１５０に収容するために、受け部の高さＨＲを増減させてもよい。
【００３８】
ブランク５は、例えば、カートン１５０の底部の液体が選択時間長さにわたってカートン１５０内に留まるように、任意の所望程度の耐水性を有する材料で構成されることができる。
【００３９】
図９は、本開示の第２の実施形態によるカートン（不図示）の形成に用いられるブランク２０５の外面２０３の平面図である。ブランク２０５の外面すなわち印刷面が、図９に示されている。ブランク２０５は、横方向中心線ＣＴ及び長手方向中心線ＣＬに関して対称的又はほぼ対称的であり得る。したがって、ブランク２０５の部分的又は完全な対称性を反映するために、図面中の特定の要素は、同一又は同様の参照符号で示され得る。
【００４０】
図９に示すブランク２０５は、図１に示すブランク５と同様であり、図１からの同じか又は同様の要素又は特徴は、図９の実施形態では「２」で始まっている。図９では、カートンの上部パネルを開くのに用いられる引き裂き線２５０は、第２の上部パネル２４０を横切って長手方向Ｌ１に実質的に直線状に延びる。ブランク２０５は、ブランク５と同様の方法でカートンに形成することができ、得られるカートンは、図６乃至図８を参照して上述したような広げた構成にされ得る。
【００４１】
図１０は、本開示の第３の実施形態によるカートン５５０の形成に用いられるブランク４０５の平面図である。ブランク４０５は、横方向中心線ＣＴ及び長手方向中心線ＣＬに関して対称的又はほぼ対称的であり得る。したがって、ブランク４０５の部分的又は完全な対称性を反映するために、図面中の特定の要素は、同一又は同様の参照符号で示され得る。ブランク４０５は、第１の実施形態のブランク５と同様又は同一の特徴を有し、同じか又は同様の特徴は、第３の実施形態で同じか又は同様の参照符号で示されている。第１の実施形態と第３の実施形態との間で同じか又は同様の特徴の少なくともいくつかは、第３の実施形態では、「４」で始まる同様の参照符号で示されている。
【００４２】
第３の実施形態では、ブランク４０５は、底部パネル４１０と、横方向折り線４２１で底部パネル４１０に連結される第１及び第２の側部パネル４２０と、横方向折り線４３１で第１の側部パネル４２０に折り曲げ可能に連結される第１の上部パネル４３０と、横方向折り線４４１で第２の側部パネル４２０に折り曲げ可能に連結される第２の上部パネル４４０とを備える。底端部パネル４６０が、長手方向折り線４６１で底部パネル４１０の各端部に折り曲げ可能に連結される。閉鎖フラップ４７０が、長手方向折り線４７１で各底端部パネル４６０の遠位端部に折り曲げ可能に連結される。「端部」及び「側部」という用語は、参照しやすいように用いられており、例えば底端部パネル４６０及び側部パネル４２０の相対的なサイズを意味するものではない。
【００４３】
第２の上部パネル４４０は、各端部から端部分４５４が延びている湾曲した中央部分４５２を有する断裂可能破断線４５０を含み得る。断裂可能破断線４５０は、第２の上部パネル４４０を第１の部分４４２及び第２の部分４４４に分割する。第２の上部パネル４４０へのアクセスを提供するために、第２の上部パネル４４０には、断裂可能破断線４５０に又はそれに隣接してアクセス機能部４５６が形成され得る。アクセス機能部４５６は、例えば、断裂可能な周囲によって、又は第２の上部パネル４４０の孔によって画定され得る。代替的な実施形態では、断裂可能破断線４５０は、図９の断裂可能破断線２５０と同様の直線である。
【００４４】
下方ガセット４８０が、底部パネル４１０の各隅部に位置付けられ、隣接する側部パネル４２０と隣接する底端部パネル４６０との間に延びてこれらに連結される。各下方ガセット４８０は、折り線４２１で底端部パネル４６０に折り曲げ可能に連結される第１のガセットパネル４８２と、斜め折り線４８６で第１のガセットパネル４８２に折り曲げ可能に連結される第２のガセットパネル４８４とを含む。第２のガセットパネル４８４は、折り線４６１で隣接する側部パネル４２０にも折り曲げ可能に連結される。上方ガセット４８８が、折り線４３１又は４４１で第２のガセットパネル４８４に折り曲げ可能に連結される第３のガセットパネル４９０と、斜め折り線４９４で第３のガセットパネル４９０に折り曲げ可能に連結される第４のガセットパネル４９２とを含む。第４のガセットパネル４９２は、折り線４６１で上部パネル４３０又は４４０にも連結される。
【００４５】
第３の実施形態では、上端部フラップ５００が、第２の上部パネル４４０の各端部に折り曲げ可能に連結され、かつ隣接する第４のガセットパネル４９２に連結される。長手方向に延びる引き裂きストリップ５０２が、各上端部フラップ５００に形成される。断裂可能破断線４５０の端部分４５４のそれぞれは、第２の上部パネル４４０から（例えば、長手方向折り線４６１から）長手方向引き裂きストリップ５０２のそれぞれ１つまでそれぞれ延びる。
【００４６】
図１１乃至図１３を参照して、ブランク４０５からカートン４５０を組み立てる例示的な方法を後述する。
【００４７】
図１１を参照すると、第２の上部パネル４４０の内面が接着剤ストリップ４３６によって第１の上部パネル４３０の印刷面すなわち外面に接着され得るように、ブランク４０５が横方向折り線４２１（図１０の右側の折り線４２１）及び横方向折り線４３１に関して折り畳まれる。第１の上部パネル４３０に連結される第４のガセットパネル４９２は、それぞれの上端部フラップ５００の内面に接着され得る。次に、図１１に示すように、部分的に組み立てられたブランクは、開口端部を有する概ね筒状の形態（例えばスリーブ４５５）を形成するように横方向折り線４２１、４３１、４４１に沿って折り曲げることによって開かれ得る。
【００４８】
図１１乃至図１３を参照すると、部分的に組み立てられたカートン４５５の端部は、接着剤４７２、５０４を用いてパネル又はフラップ４６０、４７０、４８２、４８４、４９０、４９２、４９６、５００によって閉じられ得る。より詳細には、各第１のガセットパネル４８２がそれぞれの第２のガセットパネル４８４と対面接触して、底端部パネル４６０及び閉鎖フラップ４７０が底部パネル４１０に対して実質的に垂直になるまで、各端部で、第１のガセットパネル４８２及び第２のガセットパネル４８４が斜め折り線４８６に関して折り曲げられ、底端部パネル４６０が折り線４６１に関して上向きに折り曲げられる。さらに、図１３に示すように、各第３のガセットパネル４９０がそれぞれの第４のガセットパネル４９２と対面接触するように、上方ガセット４８８が斜め折り線４９４に関して折り曲げられる。閉鎖フラップ４７０は、接着剤４７２で第２のガセットパネル４８４の印刷側に接着され得る。図１４に示すように、上端部フラップ５００及び上方ガセット４９０を折り線４３１、４４１、４６１に関して下向きに折り曲げることで、上端部フラップ５００及び第３のガセットパネル４９０が底端部パネル４６０及び閉鎖フラップ４７０と対面接触して端部壁５５９が形成される。上端部フラップ５００の裏側は、接着剤５０４で底端部パネル４６０の印刷側に接着される。特定の実施形態では、第３のガセットパネル４９０は、カートン５５０内に冷却材をさらに収容するために重なり合うように図示よりも長い場合がある。
【００４９】
部分的に組み立てられたブランクは、概ね筒状の形態の一端部又は両端部を閉じる前に、例えば概ね円筒形の飲料容器Ｃ等の物品が収納され得る。
【００５０】
図１４は、ブランク４０５から組み立てられたカートン５５０を示している。図示の実施形態では、カートン５５０には、４×３×１構成で配置された１２本の概ね円筒形の１２オンス飲料容器Ｃが収納される。本開示の範囲内で、代替的な構成を有する実施形態が考えられる。カートン５５０は、第１の上部パネル４３０及び第２の上部パネル４４０がカートン５５０の上端部を閉じる上壁５５４を形成している、概ね平行六面体の形状を有する。底端部パネル４６０のそれぞれが、それぞれの隣接する下方ガセット４８０並びにそれぞれの隣接する上端部フラップ５００及び上方ガセット４８８と協働して、端部壁５５９を形成する。
【００５１】
図１５乃至図１８を参照して、カートン５５０を開いて小出し構成にする例示的な方法を後述する。
【００５２】
図１５及び図１６を参照すると、カートン５５０の各端部が、最初に引き裂きストリップ５０２のそれぞれを引き裂くことによって断裂される。次に、上端部フラップ５００及び隣接する上方ガセットパネル４８８を、折り線４３１、４４１、４６１に関して折り曲げて底端部パネル４６０及び閉鎖フラップ４７０からめくることができる。接着剤５０４を有する上端部フラップ５００の部分は、それぞれの底端部パネル４６０に貼り付いたままにすることができる。
【００５３】
図１７を参照すると、第２の上部パネル４４０が、第１の部分４４２及び第２の部分４４４に分離されるように、断裂可能破断線４５０で断裂される。次に、部分４４２、４４４を上向きに枢動させて、上方ガセット４８８を広げてカートン５００を小出し構成にすることができる。上方ガセット４８８及び上部パネル４３０、４４０は、側部パネル４２０及び端部壁５５９の高さより上方に延びる直立延長部５６０を形成する。直立延長部５６０は、カートン５５０内の容器Ｃの上に載せられる冷却材用の付加的な支持を提供する。カートン５５０の上部の直立延長部又は開口５６０は、カートン内部に収容される容器Ｃへのアクセスを提供する。
【００５４】
図１０、図１２、及び図１８を参照すると、下方ガセット４８０は、組み立てられたカートン５５０内に少なくとも部分的に液密の底部受け部５７０を部分的に画定し得る。底部受け部５７０の上縁部又は上方境界線の高さは、下方ガセット４８０の斜め折り線４８６の周縁端部に相当し、カートン５５０の底部のうち、それより下方には水又は他の液体が漏れる可能性がある接着シール又は継ぎ目がまったく形成されていない部分を表している。すなわち、流体がカートン５５０から逃げる可能性がある材料の接着シール又は他の接合部が、カートンの、底部受け部５７０の上縁部より下方の位置に設けられていない。したがって、底部受け部５７０は、ブランク４０５の折り曲げられた材料の連続部分から形成され得る。底部受け部５７０の高さは、例えば、カートン５５０の高さの関数として定義され得る。例えば、底部受け部５７０は、組み立てられて閉じられたカートン５５０の高さの少なくとも約２０％である高さを有する液密部分を画定し得る。別の実施形態では、受け部５７０の高さは、カートン５５０の高さの少なくとも約４０％であり得る。例えば、より多くの又はより少ない予想液体容積をカートン５５０に収容するために、受け部の高さを増減させてもよい。
【００５５】
ブランク４０５は、例えば、カートン５５０の底部の液体が選択時間長さにわたってカートン５５０内に留まるように、任意の所望程度の耐水性を有する材料で構成されることができる。
【００５６】
一実施形態では、カートン１５０は、底部パネル１０並びに第１の上部パネル３０及び第２の上部パネル４０に対して第１及び第２の側部パネル２０を折り曲げて開口端状スリーブを形成することによって、形成される。下方ガセット８０が折り曲げられて液密の底部受け部１７０を形成し、かつ上方ガセット８８が折り曲げられてスリーブのそれぞれの端部を閉じるように、底端部パネル６０は上向きに折り曲げられる。容器Ｃは、スリーブの両端部を閉じる前にスリーブに収納されてもよく、又はスリーブの一端部を閉じた後にスリーブに収納されてもよい。底端部パネル６０が上向きに折り曲げられると、第１のガセットパネル８２及び第２のガセットパネル８４は、概ね対面接触する。また、底端部パネル６０の折り曲げは、第４のガセットパネル９２に対して第３のガセットパネル９０を折り曲げることを含む。閉鎖フラップ７０が底端部パネル６０に対して折り曲げられると、第３のガセットパネル９０が第４のガセットパネル９２と対面接触するように折り曲げられる。閉鎖フラップ７０は、第２の上部パネル４０に固定されてスリーブのそれぞれの端部を閉じることができる。閉鎖フラップ７０は、フラップ部分７４を第２の上部パネル４０に接着連結することによって固定することができる。
【００５７】
一実施形態では、引き裂き線７６で閉鎖フラップ７０を引き裂いて閉鎖フラップを第２の上部パネル４０から分離して、上方ガセット８８及び下方ガセット８０を展開する、すなわち広げることによって、カートン１５０は開くことができる。代替的に、破断線５０で第２の上部パネル４０を引き裂き、第２の上部パネルの２つの部分４２、４４を上向きに折り曲げて上方ガセット８８を広げる、すなわち展開することによって、カートン１５０は開かれてもよい。第３の実施形態に代替的に開示されるように、破断線４５０に沿って第２の上部パネル４４０を引き裂く前に、引き裂きストリップ５０２を引き裂いてカートン５５０を開き始めることができる。本開示の範囲から逸脱することなく、他の閉鎖及び／又は開放構成、ステップ、又は方法が用いられてもよい。
【００５８】
本開示の原理に従ったカートンは、板紙等の材料から形成され得る。したがって、長期にわたって水又は他の液体に晒される場合、カートン材の部分的浸透性により、カートンは湿ったカートン表面に液体を通過させ得る。本明細書において、「液密」という用語は一般的に、カートンの、材料の連続部分から形成された部分、すなわち、液体又は微細粒子状物質が漏れる可能性がある接着継ぎ目がない部分を定義するために用いられ、したがって、「液密」という用語は、長期にわたって水又は他の液体に晒されることにより時が経つにつれて部分的に透水性になり得るカートンを包含する。
【００５９】
上記実施形態では、カートンは、６×３×１構成の１８本の１２オンス缶容器Ｃ又は４×３×１構成の１２本の１２オンス容器Ｃを収容するように記載されている。しかしながら、本開示の原理に従って構成されたカートン内に、他の配置の容器、パッケージ、物品、及び他の品物も収容することができる。例えば、本開示の原理に従って構成されたカートンは、３×４×１、３×６×１、２×４×１、２×５×１、２×６×１、４×６×１等の他の構成、並びに上述の構成の多段変形形態で物品を保持するようなサイズ及び形状であっても、満足な働きをするであろう。
【００６０】
ブランクの寸法は、例えば、さまざまな容器形態を収容するように変更されてもよい。例えば、本開示の原理に従って構成されたカートン内に、１６オンスのペタロイド型ボトルを収容することもできる。
【００６１】
本開示によるブランクは、例えば、コーティングされた板紙及び同様の材料から形成することができる。例えば、ブランクの内面及び／又は外面をクレーコートでコーティングすることができる。続いて、クレーコート上に製品、広告、価格コード、及び他の情報又は画像を印刷してもよい。続いて、ブランクに印刷されている情報があればそれを保護するために、ブランクをワニスでコーティングすることもできる。ブランクの片面又は両面を、例えば防湿層でコーティングしてもよい。上述の実施形態によれば、ブランクは、通常の紙よりも重く硬質であるようなキャリパ（例えば、少なくとも約１４のキャリパ）の板紙で構成され得る。ブランクは、厚紙、硬化紙等の他の材料、又はカートンが少なくとも概ね本明細書に記載のように機能できるようにするのに適した特性を有する任意の他の材料で構成することもできる。ブランクは、選択されたパネル又はパネルセクションに１つ又は複数のシート状材料を積層又はコーティングすることもできる。
【００６２】
上記実施形態は、１つ又は複数のパネルが糊で貼り合わされるように記載され得る。「糊」という用語は、カートンパネルを所定位置に固定するために一般的に使用されるすべての接着剤を包含するものとする。
【００６３】
本開示の上述の実施形態によれば、折り線は、それに沿った折り曲げを容易にする、必ずしも直線状ではないが実質的に線状の任意の弱化形態であり得る。本開示の範囲を狭めるためではないが、より詳細には、折り線は、所望の弱化線に沿って材料に圧潰部分を作る鈍いスコアリングナイフ等で形成される線等の切り込み線、所望の弱化線に沿って材料の厚さを部分的に貫通する切れ目、及び／又は所望の弱化線に沿って材料の厚さを部分的に貫通する且つ／又は厚さを完全に貫通する一連の切れ目、並びにこれらの特徴の種々の組み合わせを含む。本明細書において、「パネル」も「フラップ」も、平坦又は平面状である必要はない。「パネル」又は「フラップ」は、例えば、複数の相互連結された概ね平坦な又は平面状の部分を含み得る。
【００６４】
本明細書に提示される説明のために、「破断線」と言う用語は、例えば、ブランクに形成される切れ目線、切り込み線、クリース線、引き裂き線、又は折り線（又はそれらのさまざまな一連の及び／若しくは重なり合った組み合わせ）を包括的に指すために用いられ得る。「断裂可能」破断線は、カートンの通常の使用時に断裂されることが意図される破断線である。断裂可能破断線の一例は、引き裂き線である。
【００６５】
一例として、引き裂き線は、所望の弱化線に沿って材料の厚さを部分的に貫通するスリット、及び／又は所望の弱化線に沿って材料の厚さを部分的に貫通する一連の離間したスリット及び／又は厚さを完全に貫通する一連の離間したスリット、又はこれらの特徴の種々の組み合わせを含み得る。より具体的な例としては、１つのタイプの引き裂き線は、引き裂き線を挟んで材料を通常は一時的に接続するために刻み目（例えば、ブリッジにやや似た材料の小片）が間に画定されるように隣接するスリットをわずかに離間させた、材料の厚さを完全に貫通する一連の離間したスリットの形態である。刻み目は、引き裂き時に引き裂き線に沿って破断される。刻み目は典型的には、引き裂き線において比較的わずかな割合を占めるものであり、代替的に、引き裂き線が連続した切れ目線であるように刻み目を引き裂き線から省く、すなわち引き裂き線上で破っておくことができる。すなわち、引き裂き線のそれぞれを連続したスリット等で置き換えることは、本開示の範囲内にある。例えば、本開示から逸脱することなく、切れ目線は、連続したスリットであってもよく、又はスリットよりも広いものであってもよい。
【００６６】
図示の実施形態では、選択された折り線が、線に沿って折り曲げやすくするために、間隔を置いた切れ目を含むように示されている。切れ目がカートンの底部受け部分より下方又はそれに近接する場合、折り線に沿った漏れを防止するために、１００％未満の切れ目が使用されるであろう。代替として、受け部分内又はその付近では、切れ目又は切り込みが省かれるであろう。
【００６７】
本開示の上記説明は、種々の例示的な実施形態を例示及び説明するものである。特許請求の範囲の精神及び範囲から逸脱することなく、種々の追加、変更、変形等をこれらの例示的な実施形態に加えることができる。上記説明に含まれるか又は添付図面に示されているすべての事項が、限定的な意味ではなく説明として解釈されることが意図される。さらに、本開示は、本開示の選択された実施形態のみを図示及び説明しているが、本開示は、種々の他の組み合わせ、変更形態、及び環境で用いることができ、本明細書で述べられているような発明概念の範囲内で変形又は変更を行うことができ、上記教示と同等であり、かつ／又は関連技術分野の技術若しくは知識内にある。さらに、各実施形態の特定の特徴及び特性を、選択的に交換して、本開示の他の説明された実施形態又は説明されていない実施形態に適用することができる。
【図１】
2011516360.tif 000003
【図２】
2011516360.tif 000004
【図３】
2011516360.tif 000005
【図４】
2011516360.tif 000006
【図５】
2011516360.tif 000007
【図６】
2011516360.tif 000008
【図７】
2011516360.tif 000009
【図８】
2011516360.tif 000010
【図９】
2011516360.tif 000011
【図１０】
2011516360.tif 000012
【図１１】
2011516360.tif 000013
【図１２】
2011516360.tif 000014
【図１３】
2011516360.tif 000015
【図１４】
2011516360.tif 000016
【図１５】
2011516360.tif 000017
【図１６】
2011516360.tif 000018
【図１７】
2011516360.tif 000019
【図１８】
2011516360.tif 000020
【国際調査報告】
2011516360.tif 000021
2011516360.tif 000022